(57)【要約】      （修正有）【課題】床、壁、天井を破らずに短期間に施工できる様にして、耐震補強工事費を大幅に安くできる様にする。【解決手段】開口部の略中央に耐震補強壁を増設し、耐震強度の南北バランスを良くして、総合的に耐震強度を大幅に改善する。耐震補強壁により、梁の撓みも小さくなり、建具の滑りの悪化を防止する。【選択図】図４
0003136745.tif 000002
【実用新案登録請求の範囲】
【請求項１】
戸建て木造住宅に於いて、大きい開口部に耐震補強壁を追加し、
耐震性能を改善する耐震補強壁で縦部材、横部材、筋交、補強金具から
構成される耐震補強壁。
【請求項２】
耐震壁で、縦部材、横部材、透明樹脂板から構成される請求項1記載の
耐震壁。
【請求項３】
固定ボルトを取り外せば、建具と同様に水平移動できる請求項1及び
請求項２記載の耐震補強壁。
【考案の詳細な説明】
【技術分野】
【０００１】
戸建の木造住宅の耐震補強及び経年変形防止に関する。特に既築
建造物に適用すると効果的である。
【背景技術】
【０００２】
類似技術としては
【特許文献１】特開2002-356908等がある。
【０００３】
震災に遭遇した場合の、人命財産の損害を最小限に止める様に
建築物の倒壊を防止する事が強く求められており、建築基準も年々
強化されている。
【０００４】
図１に示す様に、軸組み形式の木造建築では、座敷等の広間の南側には
日当たりを良くし開放感を増す為に開口部の幅を広くとる傾向が強い。
【０００５】
しかし、この為に、東西方向の水平地震動に対する建築物の強さが
南側と北側で大きく異なり、建築物の総合的な強さを低下している。
特に、二階建で重い瓦屋根の構造は、一階の広い開口部に負担が掛かる。
【０００６】
既築木造住宅の耐震補強を検討する場合に、投資効果対費用を最も
高めるには、その住宅の最も弱い部分を強化するのが良い。
【考案の開示】
【考案が解決しようとする課題】
【０００７】
既築木造住宅の耐震性能を改善する為に、非耐震壁を耐震壁に
改造する場合には、作業スペースが必要な為に、既設の床、壁、天井を
破らないと工事を施工出来ない。
この為に、工期も長くなり、耐震補強工事費が大幅に高くなる問題があった。
これを、床、壁、天井を破らずに短期間に施工できる様にして、
耐震補強工事費を大幅に安くできる様にする。
【０００８】
図3に示す様に、広い開口部の幅を広くすると、梁の負担が大きく
長期の経年劣化で、屋根の重みにより梁が変形し、梁の中心部が下がる
傾向があり、その結果、開口部の襖、障子等の建具の滑りが悪くなる不都合が
あった。
【０００９】
この対策の為に、図3のライナー8の厚さを調節したり、或いは
敷居3を削る等で対応していた。
【課題を解決するための手段】
【００１０】
図4に示す様に、開口部の略中央に耐震補強壁11を追加する。図2に
示す様に、地震動による水平荷重9を受けると敷居3、柱4、鴨居6から成る
開口部は平行四辺形状に変形しようとし、開口部の高さhが低くなろうとする。
しかし、耐震補強壁11があるとこの変形に抵抗するので耐震強度が向上する。
【００１１】
柱4、梁5、鴨居6から成る開口部についても同様である。
【００１２】
図3に示す様に、屋根や二階の垂直荷重10を受けると、鴨居6の中央部の
高さhが低くなろうとするが、耐震補強壁11があると、この低下を防止できる
ので、襖や障子等の建具22の滑りが悪くなるのを防ぐ事ができる。
【考案の効果】
【００１３】
既築住宅の耐震補強を実施する場合に、耐震補強材を基礎1から梁5に
わたって強力に締結固定する作業が必要になる。
又、作業スペースを確保する為に既設の床、壁、天井を破る必要があった。
こうすると、床、壁、天井を新しく施工する事になり、工事期間も長くなり、工事
範囲も拡大し、工事費が大幅に高くなる問題点があるが、これを床、壁、天井を
破らずに施工可能とし、工事費を大幅に安くできる。
【００１４】
耐震補強壁を追加する事による不具合点もある。  即ち、採光、通風、動線の
制約等があるが、以下各々の対策を説明する。
【００１５】
採光については、図5に示す様に耐震補強壁11の耐震補強材として
透明樹脂板を採用する事により、採光を殆ど妨げない。
【００１６】
通風については、図4の耐震補強壁の全面に防虫網を張れば通風を確保
出来る。
【００１７】
動線の制約については、図7の様に、建具との関係位置を設定すれば、最低限の
動線は確保できる。
【００１８】
更に、特別のイベントがある場合には、中部固定ボルト17及び下部固定ボルト19
を緩めて抜けば、耐震補強壁11は建具22と同様に移動、取り外しができるので
動線の制約が更に緩和される。
イベント終了後には、耐震補強壁11を規定の位置に移動し、固定ボルトを締結
する。
【００１９】
この場合、上部固定ナット16、中部固定ナット18、雌螺子アンカー20はそれぞれ
梁5、横部材13、基礎1に埋め込まれ固定されているので、作業が容易である。
【考案を実施するための最良の形態】
【００２０】
本考案を実施する為の最良の形態を図４、図５、図６で説明する。
【実施例１】
【００２１】
図４及び図7に示す様に、耐震補強材として、筋交14及び補強金具23を
使用する場合で、水平地震動を受けた場合に、筋交14が耐震補強壁11の
厚みが厚いので変形を強力に防止する。
雌螺子アンカー20を基礎1に設定する為には、土台2及び敷居3に、
雌螺子アンカー20の外径よりやや大きい挿入穴を穿孔する必要があるが
挿入穴の内径は下部固定ボルト19の外径より相当大きくなり遊びが
大き過ぎるので対策として、スリーブ26を挿入して遊びを小さくする。
【実施例２】
【００２２】
図５及び図8に示す様に、耐震補強材として、透明樹脂板21を使用する場合で、
透明樹脂板21は縦部材12及び横部材13とボルトナット又は木螺子24で
締結されている。
水平地震動9を受けた場合に、透明樹脂板21が耐震補強壁11の変形を
強力に防止する。
透明樹脂板21により、採光を妨げない特徴がある。
図8に示す様に、建具22を閉じると耐震補強壁11を室内から見えない
様にもできる。
この実施例では、耐震補強壁11の厚みを薄くしているので、水平荷重9を
受けた時に縦部材12が挫屈破壊しないようにＵ型又はＬ型鋼による
補強材24で防止する。
【実施例３】
【００２３】
図6及び図9に示す様に、耐震補強材として、筋交14及び補強金具23
を使用する場合で、水平地震動9を受けた場合に、筋交14が耐震補強壁11
の変形を強力に防止する。筋交14の材質を金属にしても良い。
この実施例では、耐震補強壁11の厚みを薄くしているので、水平荷重9を
受けた時に縦部材12が挫屈破壊しないようにＵ型又はＬ型鋼による
補強材24で防止する。
図8に示す様に、建具22を閉じると耐震補強壁11を室内から見えない
様にもできる。
【図面の簡単な説明】
【００２４】
【図１】従来の開口部
【図２】梁の撓み
【図３】水平荷重による変形
【図４】考案の開口部耐震補強壁実施例1
【図５】考案の開口部耐震補強壁実施例2
【図６】考案の開口部耐震補強壁実施例3
【図７】実施例1のＡ−Ａ‘断面
【図８】実施例2のＡ−Ａ‘断面
【図９】実施例3のＡ−Ａ‘断面
【図１０】スリーブの説明
【符号の説明】
【００２５】
１  基礎
２  土台
３  敷居
４  柱
５  梁
６  鴨居
７  吊束
８  ライナー
９  水平荷重
１０  垂直荷重
１１  耐震補強壁
１２  縦部材
１３  横部材
１４  筋交
１５  上部固定ボルト
１６  上部固定ナット
１７  中部固定ボルト
１８  中部固定ナット
１９  下部固定ボルト
２０  雌螺子アンカー
２１  透明樹脂板
２２  建具
２３  補強金具
２４  補強材
２５  締結ボルト又は木螺子
２６  スリーブ
２７  ワッシャー
h    開口部の高さ
【図１０】
0003136745.tif 000003
【図１】
0003136745.tif 000004
【図２】
0003136745.tif 000005
【図３】
0003136745.tif 000006
【図４】
0003136745.tif 000007
【図５】
0003136745.tif 000008
【図６】
0003136745.tif 000009
【図７】
0003136745.tif 000010
【図８】
0003136745.tif 000011
【図９】
0003136745.tif 000012
【手続補正書】
【提出日】平成19年8月24日(2007.8.24)
【手続補正１】
【補正対象書類名】実用新案登録請求の範囲
【補正対象項目名】全文
【補正方法】変更
【補正の内容】
【実用新案登録請求の範囲】
【請求項１】
戸建て木造住宅に於いて、大きい開口部に耐震補強壁を追加し、
耐震性能を改善する耐震補強壁で縦部材、横部材、筋交及び補強金具から
構成されていて、縦部材、横部材及び筋交は補強金具と締結ボルト又は
木螺子により一体化された耐震補強壁。
【請求項２】
戸建て木造住宅に於いて、大きい開口部に耐震補強壁を追加し、
耐震性能を改善する耐震補強壁で縦部材、横部材、透明樹脂板及び補強材
から構成されていて、縦部材、横部材、透明樹脂板及び補強材は締結ボルト
又は木螺子で一体化された耐震補強壁。
【請求項３】
戸建て木造住宅に於いて、大きい開口部に耐震補強壁を追加し、
耐震性能を改善する耐震補強壁で縦部材、横部材、筋交及び補強金具から
構成される耐震補強壁又は縦部材、横部材、透明樹脂板及び補強材
から構成される耐震補強壁に於いて、
梁と耐震補強壁を締結する上部固定ボルト、鴨居と耐震補強壁を締結する
中部固定ボルト及び敷居、基礎と耐震補強壁を締結する下部固定ボルトを
抜き取り、取り外せば建具と同様に水平移動できる耐震補強壁。
【手続補正２】
【補正対象書類名】明細書
【補正対象項目名】００２１
【補正方法】変更
【補正の内容】
【００２１】
図４、図7及び図11に示す様に、耐震補強材として、筋交14及び
補強金具23を使用する場合で、縦部材12、横部材13及び筋交14は
補強金具23と締結ボルト又は木螺子25により強力に一体化されており
水平荷重9を受けた場合に、耐震補強壁11の厚みが厚いので筋交14が
耐震補強壁11の変形を強力に防止する。
雌螺子アンカー20を基礎1に設定する為には、土台2及び敷居3に、
雌螺子アンカー20の外径よりやや大きい挿入穴を穿孔する必要があるが
挿入穴の内径は下部固定ボルト19の外径より相当大きくなり遊びが
大き過ぎるので対策として、スリーブ26を挿入して遊びを小さくする。
図11では、耐震補強壁11の四隅の内右上の一隅のみ表現しているが
他の三隅についても同様である。
【手続補正３】
【補正対象書類名】明細書
【補正対象項目名】００２２
【補正方法】変更
【補正の内容】
【００２２】
図５、図8及び図12に示す様に、耐震補強材として、透明樹脂板21を
使用する場合で、透明樹脂板21は縦部材12、横部材13及び補強材24と
ボルトナット又は木螺子25で締結され一体化している。
水平荷重9を受けた場合に、透明樹脂板21が耐震補強壁11の変形を
強力に防止するスキンストレス構造である。
透明樹脂板21により、採光を妨げない特長がある。
図8に示す様に、建具22を閉じると耐震補強壁11を室内から見えない
様にもできる。
この実施例では、耐震補強壁11の厚みを薄くしているので、水平荷重9を
受けた時に縦部材12が挫屈破壊しないようにＵ型又はＬ型鋼による
補強材24で防止する。
雌螺子アンカー20を基礎1に設定する為には、土台2及び敷居3に、
雌螺子アンカー20の外径よりやや大きい挿入穴を穿孔する必要があるが
挿入穴の内径は下部固定ボルト19の外径より相当大きくなり遊びが
大き過ぎるので対策として、スリーブ26を挿入して遊びを小さくする。
図12に示す様に、耐震補強壁11の室内側は、建具22との干渉を防ぐ為に
突出部が無い様な構造とする必要があり、透明樹脂板21及び締結ボルト又は
木螺子25の頭部は表面より内側に沈める様に加工して組立てる。
図12では、耐震補強壁11の四隅の内右上の一隅のみ表現しているが
他の三隅についても同様である。
【手続補正４】
【補正対象書類名】明細書
【補正対象項目名】００２３
【補正方法】変更
【補正の内容】
【００２３】
図6、図9及び図13に示す様に、耐震補強材として、筋交14、補強金具23
及び補強材24を使用する場合で、縦部材12、横部材13、筋交14及び
補強材24は、補強金具23とボルトナット又は木螺子25で締結され一体化
している。
水平荷重9を受けた場合に、筋交14が耐震補強壁11の変形を強力に
防止する。筋交14の材質を金属にしても良い。
この実施例では、耐震補強壁11の厚みを薄くしているので、水平荷重9を
受けた時に縦部材12及び筋交14が挫屈破壊しないようにＵ型又はＬ型鋼による
補強材24で防止する。
図9に示す様に、建具22を閉じると耐震補強壁11を室内から見えない
様にもできる。
雌螺子アンカー20を基礎1に設定する為には、土台2及び敷居3に、
雌螺子アンカー20の外径よりやや大きい挿入穴を穿孔する必要があるが
挿入穴の内径は下部固定ボルト19の外径より相当大きくなり遊びが
大き過ぎるので対策として、スリーブ26を挿入して遊びを小さくする。
図13に示す様に、耐震補強壁11の室内側は、建具22との干渉を防ぐ為に
突出部が無い様な構造とする必要があり、補強金具23及び締結ボルト又は
木螺子25の頭部は表面より内側に沈める様に加工して組立てる。
図13では、耐震補強壁11の四隅の内右上の一隅のみ表現しているが
他の三隅についても同様である。
【手続補正５】
【補正対象書類名】明細書
【補正対象項目名】００２４
【補正方法】変更
【補正の内容】
【００２４】
【図１】従来の開口部
【図２】梁の撓み
【図３】水平荷重による変形
【図４】考案の開口部耐震補強壁実施例1
【図５】考案の開口部耐震補強壁実施例2
【図６】考案の開口部耐震補強壁実施例3
【図７】実施例1のＡ−Ａ‘断面
【図８】実施例2のＡ−Ａ‘断面
【図９】実施例3のＡ−Ａ‘断面
【図１０】スリーブの説明
【図１１】実施例1の耐震補強壁部分拡大
【図１２】実施例2の耐震補強壁部分拡大
【図１３】実施例3の耐震補強壁部分拡大
【手続補正６】
【補正対象書類名】明細書
【補正対象項目名】００２５
【補正方法】変更
【補正の内容】
【００２５】
１  基礎
２  土台
３  敷居
４  柱
５  梁
６  鴨居
７  吊束
８  ライナー
９  水平荷重
１０  垂直荷重
１１  耐震補強壁
１２  縦部材
１３  横部材
１４  筋交
１５  上部固定ボルト
１６  上部固定ナット
１７  中部固定ボルト
１８  中部固定ナット
１９  下部固定ボルト
２０  雌螺子アンカー
２１  透明樹脂板
２２  建具
２３  補強金具
２４  補強材
２５  締結ボルト又は木螺子
２６  スリーブ
２７  ワッシャー
２８  突出部
２９  溝部
h    開口部の高さ
【手続補正７】
【補正対象書類名】図面
【補正対象項目名】図９
【補正方法】変更
【補正の内容】
【図９】
0003136745.tif 000013
【手続補正８】
【補正対象書類名】図面
【補正対象項目名】図１１
【補正方法】追加
【補正の内容】
【図１１】
0003136745.tif 000014
【手続補正９】
【補正対象書類名】図面
【補正対象項目名】図１２
【補正方法】追加
【補正の内容】
【図１２】
0003136745.tif 000015
【手続補正１０】
【補正対象書類名】図面
【補正対象項目名】図１３
【補正方法】追加
【補正の内容】
【図１３】
0003136745.tif 000016